(57)【要約】【課題】表示媒体上に印刷されたコンテンツ情報とコンテンツ情報の印刷履歴、修正履歴、廃棄履歴等々を管理することができ、高度なセキュリティにおいて共有できる。また、ユーザーにとってセキュリティに注意を要するコンテンツの印刷物を容易且つ厳重に管理できるシステムを提供する。【解決手段】ＲＦ−ＩＤタグ付き表示媒体１００を廃棄する廃棄部１０７と前記ＲＦ−ＩＤタグの識別情報を無線通信により読み取るＲＦ−ＩＤ読取部１０６とを有する表示媒体廃棄装置１０２と、コンテンツ情報と該コンテンツ情報に関連する管理情報を前記ＲＦ−ＩＤの識別情報と関連付けて蓄積するデータ管理装置１０３とを有し、表示媒体１００を表示媒体廃棄装置１０２において廃棄する際にデータ管理装置１０２に蓄積された前記コンテンツ情報に関連する管理情報を書き換える。【選択図】      図１
2004302615.tif 000002
【特許請求の範囲】
【請求項１】
ＲＦ−ＩＤタグを有する表示媒体を廃棄する機能と前記ＲＦ−ＩＤタグの識別情報を無線通信により読み取る機能とを有する表示媒体廃棄装置と、
コンテンツ情報と該コンテンツ情報に関連する管理情報を前記ＲＦ−ＩＤの識別情報と関連付けて蓄積するデータ管理装置とを有し、
前記表示媒体を前記表示媒体廃棄装置において廃棄する際に前記データ管理装置に蓄積された前記コンテンツ情報に関連する管理情報を書き換える管理情報書き換え手段を有することを特徴とするシステム。
【請求項２】
ＲＦ−ＩＤタグを有する表示媒体を廃棄する機能を有する表示媒体廃棄装置において、
前記ＲＦ−ＩＤタグの識別情報を無線通信により読み取る識別情報読取手段と、
前記識別情報読取手段により読み取られた識別情報に応じたコンテンツ情報に関連する管理情報等を表示する表示手段と、
ユーザによる指示に応じて前記識別情報を読み取ったＲＦ−ＩＤタグを有する表示媒体を廃棄処理して前記識別情報に関連するコンテンツ情報の管理情報を書き換えるための処理を行う手段と
を有することを特徴とする表示媒体廃棄装置。
【発明の詳細な説明】
【０００１】
【発明の属する技術分野】
本発明は、表示媒体を廃棄する表示媒体廃棄装置及び該装置を有するシステムに関する。
【０００２】
【従来の技術】
従来の印刷システムでは、例えば、パーソナルコンピュータ等によって生成された印刷データをプリンタに送信することにより、所定のコンテンツを印刷することができるようになっている。このような印刷システムは、ネットワーク接続されることで、電子情報コンテンツの共有は可能である。
【０００３】
しかしながら、コンテンツが、一端、表示媒体である紙に印刷されると、紙情報は、ネットワークからは切断されて、共有することや管理することは難しかった。
【０００４】
また、紙情報の電子化に関しては、特開２０００−２８５２０３号公報において、ＩＣチップ入りペーパを情報伝達方法に用いることが開示されている。これは、ＩＣチップに情報の電子データを蓄積し、表示媒体である紙上に情報を印刷することで、紙を電子記憶媒体として用いて、情報を配布・授受・保存する方法である。
【０００５】
また、印刷物発行管理システムとしては、特開平１１−７８１７６号公報において不正な印刷物の発行を防止するシステムが開示されている。このシステムは、例えば、有価証券や著作物等の印刷物の発行管理に使われる。これは、識別情報を有する表示媒体において、正当な識別情報であると認識した場合にのみ要求されたコンテンツを印刷するというもので、正当な識別情報を持つ印刷物を管理することができる。ここでは、「識別情報」としては、例えば、文字や記号等の印字情報、磁気情報、バーコード等の光学的検出情報、透かし等が開示されている。
【０００６】
また、特開２００２−１２０４７５号公報には、書類管理システムとして、識別子が付いた用紙を含む書類を用いることで、書類の検索、稟議、回覧等と共に、取扱者、承認場所等の把握を容易に行なえるようにした技術が開示されている。また、識別子が付いた表示媒体である用紙を廃棄するための事務機として、読取装置が組み込まれたシュレッダも開示されている。
【０００７】
【発明が解決しようとする課題】
従来の一般的な紙書類の利用・管理システムでは、印刷や複製された表示媒体である紙は、ネットワーク・システムから切り離され、印刷物の管理は事実上不可能であった。
【０００８】
また、上述した特開２０００−２８５２０３号公報においては、ＩＣチップへコンテンツを格納する技術が開示されているが、以下の理由により、コンテンツのネットワーク管理が主流になると思われる。
▲１▼今後ＩＣチップの低価格化実現のためのＩＣチップサイズの縮小化に伴い、１チップ当たりのメモリ量が減少する可能性があり、蓄積できるコンテンツの内容が限定的となる。
▲２▼ネットワークの高速・大伝送容量化により、いつでも、どこからでも、ネットワーク管理されたコンテンツにアクセス可能となる。
▲３▼コンテンツ内容へのアクセスをセキュリティ管理したい。また、印刷の許可を管理したい。
【０００９】
よって、コンテンツを内蔵したＩＣチップを有する表示媒体である紙の応用は限定される。
【００１０】
また、上述した特開平１１−７８１７６号公報に開示されたシステムは、表示媒体情報管理装置とコンテンツ管理装置と利用管理装置とプリンタとで構成されており、印刷物の発行に必要なコンテンツ、印刷記録媒体及び印刷機構の３つの要素をそれぞれ独立に管理し、印刷物の発行を管理することで、不正な印刷物の発行を未然に防ぐことができ、有価証券、入場券、著作物、会員証、証明証等の重要な印刷物をリモート印刷することができる。
【００１１】
一方、このシステムは、ホスト側からの印刷物の発行管理のためのものであるために、ユーザーがコンテンツを登録したり、コンテンツを変更したり、コンテンツの管理情報にアクセスすることは不可能であった。
【００１２】
また、特開２００２−１２０４７５号公報に開示された書類管理システムでは、識別子が付いた用紙を含む書類を用いることで、書類の管理を可能にし、読取装置が組み込まれたシュレッダが開示されているが、ユーザーがコンテンツや紙情報を管理することができなかった。
【００１３】
このシステムは、コンテンツ管理者が守秘管理すべき紙の存在・廃棄を管理するためのものであり、ユーザーが誤って重要な書類を廃棄することを防ぐことができず、また、ユーザーがコンテンツにアクセスすることもできなかった。
【００１４】
本発明は、上述したような従来技術の有する問題点を解消するためになされたもので、その第１の目的は、ユーザーによる印刷物の廃棄等を管理することが可能なシステムを提供することである。
【００１５】
また、本発明の第２の目的は、コンテンツを誤って廃棄してしまうことを防止することである。
【００１６】
【課題を解決するための手段】
上記第１の目的を達成するために、本発明のシステムは、ＲＦ−ＩＤタグを有する表示媒体を廃棄する機能と前記ＲＦ−ＩＤタグの識別情報を無線通信により読み取る機能とを有する表示媒体廃棄装置と、コンテンツ情報と該コンテンツ情報に関連する管理情報を前記ＲＦ−ＩＤの識別情報と関連付けて蓄積するデータ管理装置とを有し、前記表示媒体を前記表示媒体廃棄装置において廃棄する際に前記データ管理装置に蓄積された前記コンテンツ情報に関連する管理情報を書き換える管理情報書き換え手段を有することを特徴とする。
【００１７】
また、上記第２の目的を達成するために、本発明の表示媒体廃棄装置は、ＲＦ−ＩＤタグを有する表示媒体を廃棄する機能を有する表示媒体廃棄装置において、前記ＲＦ−ＩＤタグの識別情報を無線通信により読み取るＩＤ情報読取手段と、前記ＩＤ情報読取手段により読み取られた識別情報に応じたコンテンツ情報に関連する管理情報等を表示する表示手段と、ユーザによる指示に応じて前記識別情報を読み取ったＲＦ−ＩＤタグを有する表示媒体を廃棄処理し、前記識別情報に関連するコンテンツ情報の管理情報を書き換えるための処理を行う手段を有することを特徴とする。
【００１８】
【発明の実施の形態】
以下、本発明の各実施の形態を図面に基づき説明する。
【００１９】
（第１の実施の形態）
まず、本発明の第１の実施の形態を、図１及び図２に基づき説明する。
【００２０】
図１は、本発明の第１の実施の形態に係るＲＦ−ＩＤタグ付き表示媒体を用いたコンテンツ共有システムの構成を示すブロック図であり、同図において、１００はＲＦ−ＩＤタグ付き表示媒体、１０１はネットワーク、１０２は表示媒体廃棄装置（ＲＦ−ＩＤリーダー内蔵表示媒体廃棄装置）、１０３はデータ管理装置である。ネットワーク１０１に表示媒体廃棄装置１０２及びデータ管理装置１０３が接続されている。
【００２１】
ここで、ＲＦ−ＩＤタグ付き表示媒体１００とは、ＩＣチップに内蔵された識別情報（例えば、ＩＤ番号）を無線方式によりＲＦ−ＩＤリーダーであるＲＦ−ＩＤ読取部１０６と通信可能なＲＦ−ＩＤタグが、表示媒体の表面、または裏面に取れないように接着等により固定されているか、または表示媒体の中に折り込まれていたり、２枚以上の表示媒体により挟まれるように形成されている表示媒体のことである。また、表示媒体とは、一般的な普通の紙、表面がコートされている紙、写真等の印画紙、感熱紙、ジアゾ感光紙、オーバー・ヘッド・プロジェクタ用ＰＥＴフィルムやポリエチレン、プラスチック等の樹脂膜等、印刷可能なシート状の表示媒体であれば何でも良い。
【００２２】
表示媒体廃棄装置１０２は、ネットワーク・インターフェース（Ｉ／Ｆ）１０４、制御部１０５、ＲＦ−ＩＤ読取部１０６、表示媒体廃棄部１０７、メモリ部１０８及び操作部１０９を備えている。データ管理装置１０３は、ネットワーク・インターフェース（Ｉ／Ｆ）１１０、データ保持部１１１及びデータ管理部１１２を備えている。
【００２３】
ＲＦ−ＩＤタグ付き表示媒体１００と表示媒体廃棄装置１０２は、ＲＦ−ＩＤ読取部１０６とＲＦ−ＩＤタグとの間において無線でデータ通信を行なう。
【００２４】
ネットワーク・インターフェース１０４は、通信回線を介してデータ通信を行なうためのものである。表示媒体廃棄装置１０２にはＩＰアドレスが割り振られており、ネットワーク１０１上において識別されている。制御部１０５は、ＲＦ−ＩＤの読み取り、印刷、データ通信、データ表示、データ保持等を制御し、複数枚の表示媒体廃棄装置１０２全体の機能制御を行なう。ＲＦ−ＩＤ読取部１０６は、ＲＦ−ＩＤタグ付き表示媒体１００に付いたＲＦ−ＩＤタグの識別情報を無線方式で読み取るためのもので、制御やデータ処理を行なうプロセッサ部と送信データの変調や受信データの符号化を行なうＲＦ部とＲＦ−ＩＤタグとＲＦ通信を行なうためのアンテナ部とから成る。
【００２５】
表示媒体廃棄部１０２は、読み取り不可能なように裁断、または溶解等、ＲＦ−ＩＤタグ付き表示媒体１００上のコンテンツの内容認識ができないように廃棄する全ての方式が適応可能である。ＲＦ−ＩＤタグを分離した後に、ＲＦ−ＩＤタグ付き表示媒体１００を廃棄する機能を有する場合もある。
【００２６】
メモリ部１０８は、情報確認時に、識別情報、該識別情報に関するコンテンツ情報、該コンテンツ情報に関連する管理情報等を一時的に格納し、高度なセキュリティを実現するために用いられる。
【００２７】
操作部１０９は、印刷指示部を行なうためのヒューマン・インタフェースであり、表示部と入力部とを有する。具体的に、表示部は、少なくともコンテンツに関連する情報を表示できるようなディスプレイであったり、入力可能なデジタイザが表面に形成されたタッチパネル付きのディスプレイであったり、また、単なるＬＥＤ（発光ダイオード）の点灯表示により処理状況を表す場合もある。この表示部において、識別情報に関連するコンテンツ情報、該コンテンツ情報に関連する管理情報等を表示したり、また、表示媒体の廃棄の確認情報等を表示する。また、入力部は、タッチパネルの他に、操作ボタン、音声入力等でも良い。また、ＲＦ−ＩＤタグ付き表示媒体１００が表示媒体廃棄装置１０２の所定の場所に置かれることで、ＲＦ−ＩＤタグ付き表示媒体１００を自動的に認識し、その廃棄命令が出る構成をとることもできる。ＲＦ−ＩＤ読取部１０６がＲＦ−ＩＤタグ付き表示媒体１００のＲＦ−ＩＤを検出した場合においても、その検出信号によってＲＦ−ＩＤタグ付き表示媒体１００を自動的に認識し、コンテンツ問い合わせの指示を行なう構成でも良い。
【００２８】
表示媒体廃棄装置１０２は、上記機能の他に、光学的読取機能、データ保持部、データ管理部を有している場合もある。また、表示媒体廃棄装置１０２は、コンピュータと一体化、またはコンピュータを内蔵していても良い。
【００２９】
データ管理装置１０３は、ネットワーク・インターフェース（Ｉ／Ｆ）１１０、データ保持部１１１及びデータ管理部１１２を備えている。
【００３０】
ネットワーク・インターフェース１１０は、通信回線を介してデータ通信を行なうためのものである。データ管理装置１０３にはＩＰアドレスが割り振られており、ネットワーク１０１上において識別されている。
【００３１】
データ保持部１１１は、使用を許可したＲＦ−ＩＤタグの識別情報のデータベースと、登録済の識別情報、該識別情報に関連するコンテンツ情報、該コンテンツ情報に関連する管理情報等を有するデータベースを備えている。
【００３２】
使用を許可したＲＦ−ＩＤタグの識別情報のデータベースは、本発明のシステムに使用可能なＲＦ−ＩＤタグ付き表示媒体１００が市場に投入された時点に、ネットワーク１０１を介して随時、登録更新される。これにより、セキュリティの保証された表示媒体を用いることが可能となり、コンテンツの印刷物のセキュリティ管理が可能となる。
【００３３】
登録後の識別情報とは、ＲＦ−ＩＤタグ付き表示媒体１００上にコンテンツが印刷された際に登録されたＲＦ−ＩＤタグのＩＤ番号である。識別情報に関連するコンテンツ情報とは、ＲＦ−ＩＤタグ付き表示媒体１００上に印刷された情報を意味し、場合によってはＲＦ−ＩＤタグ付き表示媒体１００上に印刷されてはいないが、その識別情報に関連付けられて蓄積されているコンテンツ情報を意味する場合もある。即ち、ＲＦ−ＩＤタグ付き表示媒体１００上には、コンテンツ情報の一部のみが印刷形成されており、そのコンテンツ情報に関連する情報が蓄積されており、必要に応じてアクセスし、印刷することが可能である。また、コンテンツ情報が変更された場合には、その変更前のコンテンツ情報及び変更後のコンテンツ情報が関連付けられて蓄積される場合もある。
【００３４】
コンテンツ情報に関連する管理情報とは、少なくともコンテンツ付加情報と、印刷付加情報と、関連する識別情報と、セキュリティ情報とから成る。コンテンツ付加情報は、コンテンツの作成者、使用したソフトウエア、作成日時、作成されたコンピュータ情報等である。また、印刷付加情報は、印刷日時、印刷された印刷機情報、印刷範囲、印刷オプション、プリンタ機種名、ドライバのバージョン、プリントプロパティ等である。また、関連する識別情報は、同一のコンテンツを印刷した表示媒体に付いたＲＦ−ＩＤタグのＩＤ番号、または、同一のコンテンツ情報の修正されたコンテンツ情報を印刷した表示媒体に付いたＲＦ−ＩＤタグのＩＤ番号等である。
【００３５】
表示媒体廃棄装置１０２により表示媒体が廃棄される際、コンテンツ情報に関連する管理情報が書き加えられたり、またはコンテンツ情報が削除されるように指示された場合には、一連の情報も削除される。ＲＦ−ＩＤタグ付き表示媒体１００のセキュリティ情報は、コンテンツへのアクセス許可情報、つまり閲覧、変更、印刷等の可否に関連する情報である。
【００３６】
データ管理部１１２は、データ保持部１１１に蓄積されたデータの新規登録、追加登録、修正登録、削除等のデータ蓄積制御処理、ネットワーク１０１を介したデータ通信の制御、使用を許可したＲＦ−ＩＤタグの識別情報のデータベースの更新等を行なう。
【００３７】
図２は、本実施の形態に係るＲＦ−ＩＤタグ付き表示媒体を用いたコンテンツ共有システムにおける表示媒体廃棄装置１０２の廃棄プロセスの各装置におけるフローチャートである。
【００３８】
以下、図２について説明する。
【００３９】
まず、ＲＦ−ＩＤタグ付き表示媒体１００を表示媒体廃棄装置１０２の所定の場所に置き、操作部１０９より表示媒体の廃棄命令を出して、廃棄作業を開始する（ステップＳ２００）。最初にＲＦ−ＩＤの識別情報の読み取りを行ない（ステップＳ２０１）、データ管理装置において、その識別情報が本システムのデータ管理装置１０３に登録されているものであるか否かを確認する（ステップＳ２０２）。そして、識別情報がデータ管理装置１０３に登録されていない場合には、表示媒体廃棄装置１０２の表示部に該表示媒体が登録されていないことを表示し、表示媒体の廃棄を実行するか否かの確認を表示し、ユーザーは廃棄を実行するか、または廃棄を中断するかを選択して（ステップＳ２０３）、その選択結果に応じて処理する（ステップＳ２０６，２０８）。
【００４０】
また、識別情報がデータ管理装置１０３に登録されている場合には、表示媒体廃棄装置１０２の表示部に識別情報に関連するコンテンツの管理情報の一部等を表示して、表示媒体の廃棄を実行するか否かの確認を警告表示し（ステップＳ２０４）、ユーザーは廃棄を実行するか、または廃棄を中断するかを選択して（ステップＳ２０５）、その選択結果に応じて処理する（ステップＳ２０７，２０８）。
【００４１】
このようにしてＲＦ−ＩＤタグ付き表示媒体１００が廃棄される場合、表示媒体廃棄装置１０２では、データ管理装置１０３に蓄積されている識別情報に関連するデータ群（例えば、ＩＤ番号とそれに関連するコンテンツ情報と、コンテンツ管理情報とから成る）の消去も可能である。このため、表示媒体廃棄装置１０２は、廃棄した表示媒体上のコンテンツ情報に関連するデータをデータ管理装置１０３に残しておくか否かの問い合わせを表示し、この表示内容に基づいてユーザーは選択できる（ステップＳ２０９）。そして、データを残しておく場合には、識別情報に関連する管理情報に廃棄事実と廃棄の日時、装置名、その他の諸条件をデータ管理装置１０３に追記登録しておく（ステップＳ２１０）。また、データを消去する場合には、識別情報に関連するコンテンツ情報と管理情報等をデータ管理装置１０３から削除する（ステップＳ２１１）。また、データの消去の有無に拘らず、識別情報に関連づけられている他の識別情報のコンテンツ管理情報に、表示媒体が廃棄されたことを追記しておく。
【００４２】
以上の工程を終了後は、図２の廃棄プロセスを終了する（ステップＳ２１２）。
【００４３】
本実施の形態に係るＲＦ−ＩＤタグ付き表示媒体を用いたコンテンツ共有システムは、個人の印刷書類の管理、複数人への機密性の高い重要な書類等印刷物を配布する際の書類の管理等に適応し、特に、会社内での機密文章の管理等に適している。
【００４４】
また、本実施の形態に係るＲＦ−ＩＤタグ付き表示媒体を用いたコンテンツ共有システムは、不正な印刷、複製、改ざん等を防止するような目的にも有効であり、有価証券、公的文書、契約書、申請書、証明書、カルテ、領収書、入場券、著作物（小説、絵画、ポスター、絵葉書）、会員証、電子政府用書類出力、写真等々の管理に適している。
【００４５】
本実施の形態では、表示媒体を廃棄した後で、データをデータ管理装置１０３に残しておくか否かの確認を行なって、データ管理装置１０３において処理しているが、表示媒体を廃棄プロセスとデータのデータ管理装置１０３からの消去については、同時でも、逆でも良い。
【００４６】
本実施の形態に係るＲＦ−ＩＤタグ付き表示媒体を用いたコンテンツ共有システムにおける表示媒体廃棄装置１０２を用いることで、表示媒体（紙）情報とデジタル情報の両方を消去・管理することが可能となった。
【００４７】
即ち、表示媒体にＲＦ−ＩＤタグを付け、該表示媒体上に印刷されたコンテンツに識別情報を対応させて、該識別情報に対応するコンテンツ情報と該コンテンツ情報に関連する管理情報を、ネットワーク１０１に接続されたデータ管理装置１０３において管理することで、ネットワーク１０１上に接続された表示媒体廃棄装置１０２において前記表示媒体を廃棄処理し、前記コンテンツ情報に関連する管理情報を書き換えることで、前記表示媒体の管理が可能となった。また、表示媒体廃棄装置１０２より、前記コンテンツを廃棄することが可能となり、その結果、セキュリティに優れた管理下において、コンテンツの共有化が可能となった。
【００４８】
（第２の実施の形態）
次に、本発明の第２の実施の形態を、図３に基づき説明する。
【００４９】
図３は、本発明の第２の実施の形態に係るＲＦ−ＩＤタグ付き表示媒体を用いたコンテンツ共有システムの構成を示すブロック図であり、同図において、上述した第１の実施の形態における図１と同一部分には、同一符号が付してある。
【００５０】
本実施の形態においては、ネットワーク１０１上に、複数の表示媒体廃棄装置（ＲＦ−ＩＤリーダー内蔵表示媒体廃棄装置）１０２ａ，１０２ｂと、複数のデータ管理装置１０３ａ，１０３ｂが接続されており、各々異なるＩＰアドレスにおいて接続されている。
【００５１】
図３においては、その一部として、表示媒体廃棄装置２台、データ管理装置２台が記載されている。
【００５２】
本実施の形態に係るコンテンツは、ＩＤ情報と、コンテンツ情報と、該コンテンツ情報に関連する管理情報とから成るデータ群として、データ管理装置１０３ａ，１０３ｂ上に蓄積されている。
【００５３】
本実施の形態では、このデータ群をデータ保持部１１１に蓄積する際に、どのＩＰアドレス上に蓄積されているかという情報を付加することと、データ管理装置１０３ａ，１０３ｂが時々、識別情報であるＩＤ番号とＩＰアドレスから成るデータテーブルを共有し、更新することで実現できる。
【００５４】
これは、インターネットにおけるＤＮＳサーバが実施していることに近似している。この機能は、データ管理装置１０３ａ，１０３ｂが担ってもいるが、ネットワーク１０１の規模に応じて、別途管理装置を設定しても良い。
【００５５】
本実施の形態において、識別情報と、コンテンツ情報と、該コンテンツ情報に関連する管理情報とから成るデータ群は、通常、組織形態、設置場所、その他の要因から、全体として最適化されたデータ管理装置１０３ａ，１０３ｂの順位に基づいてデータ蓄積される。
【００５６】
本実施の形態においては、インターネット１０１に接続され且つあらゆる場所に接続された表示媒体廃棄装置１０２ａ，１０２ｂを用いることで、コンテンツ共有システムを活用することが可能となった。
【００５７】
（第３の実施の形態）
次に、本発明の第３の実施の形態を図４に基づき説明する。
【００５８】
尚、本実施の形態に係るコンテンツ共有システムの基本的な構成は、上述した第１の実施の形態と同一であるから、図１を流用して説明する。
【００５９】
本実施の形態において、第１の実施の形態と異なる点は、表示媒体廃棄装置１０２にＲＦ−ＩＤタグの分離回収機能が付いていることであり、このようにＲＦ−ＩＤタグの分離回収機能が付いていると、リサイクルにおいて有効である。
【００６０】
図４は、本実施の形態に係るコンテンツ共有システムにおける表示媒体廃棄装置１０２のＲＦ−ＩＤタグの分離廃棄プロセスのフローチャートである。
【００６１】
ＲＦ−ＩＤタグ付き表示媒体１００の廃棄実行命令が出ると（ステップＳ４０１）、まず、ＲＦ−ＩＤタグ付き表示媒体１００からのＲＦ−ＩＤタグの分離を行ない（ステップＳ４０２）、ＲＦ−ＩＤタグを回収する（ステップＳ４０３）。
【００６２】
ＲＦ−ＩＤタグは、ＩＣチップとアンテナとから成るが、ＲＦ−ＩＤタグ付き表示媒体１００に付着しているため、該表示媒体１００のＲＦ−ＩＤタグ部を表示媒体より切断して分離する。ＲＦ−ＩＤタグ部が分離されて残った表示媒体は、表示されているコンテンツが解読できないように裁断されて廃棄され（ステップＳ４０４）、廃棄された表示媒体は回収されてリサイクルされる（ステップＳ４０５）。また、回収されたＲＦ−ＩＤタグは、溶解等によりＩＣチップ部を取り出し、リサイクルすることも可能である。
【００６３】
本実施の形態によれば、ＲＦ−ＩＤタグ付き表示媒体のリサイクルを促進することができる。
【００６４】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【００６５】
本発明の実施態様の例を以下に列挙する。
【００６６】
［実施態様１］  ＲＦ−ＩＤタグを有する表示媒体を廃棄する機能と前記ＲＦ−ＩＤタグの識別情報を無線通信により読み取る機能とを有する表示媒体廃棄装置と、
コンテンツ情報と該コンテンツ情報に関連する管理情報を前記ＲＦ−ＩＤの識別情報と関連付けて蓄積するデータ管理装置とを有し、
前記表示媒体を前記表示媒体廃棄装置において廃棄する際に前記データ管理装置に蓄積された前記コンテンツ情報に関連する管理情報を書き換える管理情報書き換え手段を有することを特徴とするシステム。。
【００６７】
この実施態様１によれば、表示媒体の管理を行なうことができる。
【００６８】
［実施態様２］  前記表示媒体を前記表示媒体廃棄装置において廃棄する際、前記データ管理装置に蓄積された前記コンテンツ情報を廃棄することが可能なことを特徴とする実施態様１に記載のシステム。
【００６９】
この実施態様２によれば、表示媒体廃棄装置からデータ管理装置に蓄積されたコンテンツ情報を廃棄することができるため、不要なデータの削除処理を他のコンピュータやサーバ等からの操作を必要とせずに、容易に行なうことができる。
【００７０】
［実施態様３］  複数台の前記データ管理装置及び複数台の前記表示媒体廃棄装置がネットワーク接続されており、各々の前記データ管理装置に蓄積されている前記コンテンツ情報と前記コンテンツ情報に関連する管理情報と前記ＲＦ−ＩＤのＩＤ情報とから成る全てのデータ群を共有することが可能で、各々の前記表示媒体廃棄装置において前記全てのデータ群にアクセスすることが可能なことを特徴とする実施態様１に記載のシステム。
【００７１】
この実施態様３によれば、本システムの規模が大きくなり、ネットワーク上に複数のデータ管理装置と複数の表示媒体廃棄装置が接続されている場合においても、本発明のシステムを実現できる。具体的には、例えば、インターネットにおけるＤＮＳサーバにおいてＩＰアドレスを共有するように、随時ＩＤ情報であるＩＤ番号とそのコンテンツ情報の蓄積されているデータ管理装置のＩＰアドレス等を共有しておく機能をデータ管理装置が有するとか、別途ＤＮＳサーバのようなＩＤ番号とコンテンツ情報の有るデータ管理装置のＩＰアドレスを管理するサーバを設置することで可能である。
【００７２】
また、この実施態様３によれば、インターネット接続された世界中どこにおいても、本発明の表示媒体廃棄装置が接続されていれば、コンテンツを高度のセキュリティにおいて共有することが可能となる。
【００７３】
［実施態様４］  ＲＦ−ＩＤタグを有する表示媒体を廃棄する機能を有する表示媒体廃棄装置において、
前記ＲＦ−ＩＤタグの識別情報を無線通信により読み取る識別情報読取手段と、
前記識別情報読取手段により読み取られた識別情報に応じたコンテンツ情報に関連する管理情報等を表示する表示手段と、
ユーザによる指示に応じて前記識別情報を読み取ったＲＦ−ＩＤタグを有する表示媒体を廃棄処理して前記識別情報に関連するコンテンツ情報の管理情報を書き換えるための処理を行う手段と
を有することを特徴とする表示媒体廃棄装置。
【００７４】
この実施態様４によれば、ユーザーが表示媒体を廃棄する際に、該表示媒体を廃棄しても良いか否かを確認することができるため、誤って表示媒体を廃棄することを防ぐことができる。また、表示媒体を廃棄したことを確認してデータ管理装置へ廃棄情報を送信するため、コンテンツに関連する表示媒体の管理を徹底することが可能である。
【００７５】
［実施態様５］  前記表示媒体廃棄装置において前記表示媒体上に付いているＲＦ−ＩＤタグを分離回収する分離回収手段を有することを特徴とする実施態様４に記載の表示媒体廃棄装置。
【００７６】
特に、表示媒体である紙の分別回収及びリサイクルは、今後益々重要なプロセスとなり、ＲＦ−ＩＤタグ付き表示媒体では、その分別回収の際にＲＦ−ＩＤタグを取り除く必要があるが、この実施態様５によれば、ＲＦ−ＩＤタグの表示媒体での位置を予め決めておくことで、その部分を除去し、他の部分を表示媒体である紙のリサイクルに回すことが可能となる。
【００７７】
【発明の効果】
以上のように、本発明のシステムによれば、表示媒体上に印刷されたコンテンツ情報の廃棄履歴等々を管理することができ、高度なセキュリティにおいて共有できる。また、ユーザーにとってセキュリティに注意を要するコンテンツの印刷物を容易且つ厳重に管理できる。
【００７８】
また、本発明の表示媒体廃棄装置によれば、表示媒体の識別情報を利用して、重要なコンテンツを誤って廃棄してしまうことを防止することができる。
【図面の簡単な説明】
【図１】本発明の第１の実施の形態に係るＲＦ−ＩＤタグ付き表示媒体を用いたコンテンツ共有システムの構成を示すブロック図である。
【図２】本発明の第１の実施の形態に係るＲＦ−ＩＤタグ付き表示媒体を用いたコンテンツ共有システムにおける表示媒体廃棄装置の廃棄プロセスのフローチャートである。
【図３】本発明の第２の実施の形態に係るＲＦ−ＩＤタグ付き表示媒体を用いたコンテンツ共有システムの構成を示すブロック図である。
【図４】本発明の第３の実施の形態に係るＲＦ−ＩＤタグ付き表示媒体を用いたコンテンツ共有システムにおける表示媒体廃棄装置のＲＦ−ＩＤタグ分離廃棄工程プロセスのフローチャートである。
【符号の説明】
１００      ＲＦ−ＩＤタグ付き表示媒体
１０１      ネットワーク
１０２      表示媒体廃棄装置（ＲＦ−ＩＤリーダー内蔵表示媒体廃棄装置）
１０２ａ    表示媒体廃棄装置（ＲＦ−ＩＤリーダー内蔵表示媒体廃棄装置）
１０２ｂ    表示媒体廃棄装置（ＲＦ−ＩＤリーダー内蔵表示媒体廃棄装置）
１０３      データ管理装置
１０３ａ    データ管理装置
１０３ｂ    データ管理装置
１０４      ネットワーク・インターフェース（Ｉ／Ｆ）
１０５      制御部
１０６      ＲＦ−ＩＤ読取部
１０７      表示媒体廃棄部
１０８      メモリ部
１０９      操作部
１１０      ネットワーク・インターフェース（Ｉ／Ｆ）
１１１      データ保持部
１１２      データ管理部
【図１】
2004302615.tif 000003
【図２】
2004302615.tif 000004
【図３】
2004302615.tif 000005
【図４】
2004302615.tif 000006